(57)【要約】      （修正有）【課題】消耗品である照明器具専用の省エネ照明補助器具に広告及び表示等の付加価値を具備する事により、宣伝及び各種表示媒体としても活用できる照明補助器具を提供する。【解決手段】反射板１−１と透明版１−３からなる照明補助具において、透明版１−３に広告及び公共表示を付す、このように日常至るところで使用されている照明器具に照度アップと省エネを目的として活用される照明補助器具を広告及び各種表示媒体として使用するので、情報伝達力の高い広告及び各種表示を提供することが出来る、広告及び各種表示１−４は透明版１−３の一部も付されていれば良く、また全域に付されていても良い。また一つの照明補助器具に対し複数の広告１−４を付すようにしても良い。【選択図】図１
2005258374.tif 000002
【特許請求の範囲】
【請求項１】
アルミニューム製反射板とアクリル製透明版を筒状に縫い合せ間に蛍光灯など乱反射を構造的に持つ照明器具を挿入し、蛍光灯など乱反射を構造的に持つ照明器具が発した光がアルミニューム製反射板を利用し光の損失を最小限に抑え、其の光がアクリル製透明版を透して照度アップと節電を図る照明補助器具において、前記アクリル製透明版に広告及び各種公共表示を付したことを特徴とする照明補助器具。
【請求項２】
前記広告及び各種公共表示は、前記透明版の一部及び全面の位置に付されていることを特徴とする請求項１に記載の照明補助器具。
【請求項３】
前記広告及び各種公共表示は、前記透明版に貼付されていることを特徴とする請求項１〜請求項２のいずれかの項に記載の照明補助器具。
【請求項４】
前記広告及び各種公共表示は、前記透明版に印刷されていることを特徴とする請求項１〜請求項３のいずれかの項に記載の照明補助器具。
【請求項５】
前記広告及び各種公共表示は、前記透明版に手書きによって書かれていることを特徴とする請求項１〜請求項４のいずれかの項に記載の照明補助器具。
【請求項６】
前記広告及び各種公共表示は、前記透明版に有機系、非有機系蓄光塗料等の発光特殊塗料の使用を特徴とする請求項１〜請求項５のいずれかの項に記載の照明補助器具。
【請求項７】
前記広告及び各種公共表示は、前記反射板が反射した光を透過させることを特徴とする請求項１〜請求項６のいずれかの項に記載の照明補助器具。
【請求項８】
前記広告及び各種公共表示は、前期反射板が反射した光を遮光させることを特徴とする請求項１〜請求項７のいずれかの項に記載の照明補助器具。
【請求項９】
前記広告及び各種公共表示は、広告主依頼主及び各種公共表示依頼主から支払われる料金に応じて決定されること特徴とする請求項１〜請求項８のいずれかに記載の照明補助器具。
【発明の詳細な説明】
【発明の詳細な説明】
【技術分野】
【０００１】本発明は、アルミニューム製反射板とアクリル製透明版を筒状に縫い合せ間に蛍光灯など乱反射を構造的に持つ照明器具を挿入し、蛍光灯など乱反射を構造的に持つ照明器具が発した光がアルミニューム製反射板を利用し光の損失を最小限に抑え、其の光がアクリル製透明版を透して照度アップと節電を図る照明補助器具において、企業及び商品の宣伝媒体や各種公共表示媒体としての役割をも果たす照明補助器具に関する。
【背景技術】
【０００２】従来、照明補助器具は照度アップを図り効率よく節電の役割を果たし様々なところに設置されつつあるものである。【０００３】照度実験結果証別紙の通り
【発明の開示】
【発明が解決しようとする課題】
【０００４】しかしながら、このような照明補助器具は必要とされる特性上他の目的で活用されることがなかった。【０００５】本発明は、このような照明補助器具の特性上の利点を活かし広告及び公共表示媒体としても活用出来る照明補助器具を提供することを目的とする。
【課題を解決する為の手段】
【０００６】上記目的を達成するために、本発明は、反射板と透明板を筒状に貼り合わせた照明補助器具の間に蛍光灯など乱反射を構造的に持つ照明器具を直接挿入しその透明板に遮光及び透過性又は発光性塗料などの特殊塗料等で広告及び各種公共表示を付したことを特徴とする。このような構成によれば照度アップと節電照明補助器具を広告及び公共表示媒体として使用するので省エネ時代にあった情報伝達の高い広告及び公共表示媒体を提供できる。また透明版にのみ一部又は全面に広告及び表示を付するだけでよいので、本発明の実施について新に器具及び装置を必要とせず、極めて簡単に実現することができる、なお本発明は広告及び公共表示面の角度を変えることが可能な為により多くの人たちの目に付きやすい方向にかえてもよい。
【０００７】又、上記照明補助器具において、前記広告及び表示は筒状の前記透明版に一部及び全面に付されていることを特徴とする。このような構成にすれば、長時間照明器具の使用により温度上昇や万が一の蛍光灯など乱反射を構造的に持つ照明器具の破損に対しても広告及び表示内容に影響を与えることを避けることが出来、シール材等の劣化変色を回避することができる。
【０００８】又、上記照明補助器具において、前記広告及び公共表示は透明版に貼付されていることを特徴とする、このような構成にすれば、透明版の幅を広くすることが可能となり、広告及び公共表示内容の目視可能な領域を広くすることができる。
【０００９】又、上記照明補助器具において、前記広告及び公共表示は透明版に貼付されていることを特徴とする、このような構成にすれば、広告及び表示は貼付されているために広告及び公共表示交換が可能となり、広告及び公共表示期間を別途に設け、其の掲載期間に応じて広告及び表示を入れ替えることが可能になる。
【００１０】又、上記照明補助器具において、前記広告及び公共表示は透明版に印刷されていることを特徴とする、このような構成にすれば、照明補助器具の製造過程において広告及び公共表示を付着することによりコストの削減と一部及び全面に印刷が可能である。
【００１１】又、上記照明補助器具において、前記広告及び公共表示は透明版に手書きされていることを特徴とする、このような構成にすれば、必要する数量が少数の場合やコストの軽減を図り、又手書きでしか出せない絵柄を可能にし広告及び公共表示媒体の広げることが出来る。
【００１２】又、上記照明補助器具において、前記広告及び公共表示は透明版に反射板から発した光を透過させることを特徴とする、このような構成にすれば、広告及び表示を光が透過することにより、広告及び表示が浮き立ち視覚的に広告及び表示の効果を高めることが可能になる。
【００１３】又、上記照明補助器具において、前記広告及び公共表示は透明版に反射板から発した光を遮光させることを特徴とする、このような構成にすれば、広告及び公共表示を光が遮光することにより、広告及び公共表示が浮き立ち視覚的に広告及び公共表示の効果を高めることが可能になる。
【００１４】又、上記照明補助器具において、前記広告及び公共表示は透明版に有機系、非有機系の蓄光塗料等の特殊発光塗料を使用させることを特徴とする、このような構成にすれば、見た目に美しい広告及び公共表示を提供することができ、更に訴求力を強化することが出来、又蓄光塗料の場合電源を切った後も長時間自ら蓄えた光を発色する性質上効率よく広告及び公共表示を提供することができコスト削減と省エネを可能にする。
【００１５】又、上記照明補助器具において、前記広告及び公共表示の占有面積は広告及び公共表示は依頼主からの支払われる料金に応じて決定することを特徴とする。このような構成にすれば、消耗品である上記照明補助器具を安く消費者に提供することが可能になる。
【発明を実施するための最良の形態】
【００１６】以下、図面を参照し、本発明の実施形態について説明する。図１は、照明器具として蛍光灯など乱反射を構造的に持つ照明器具図１−２に照明補助器具を装着した場合の本発明の実施形態に係わる照明補助器具の概観図である。同図において、反射板図１−１と透明版図１−３を筒状に縫い合わせ間に蛍光灯など乱反射を構造的に持つ照明器具を挿入し、照度アップと節電を図る照明補助器具において透明版図１−３に付された広告及び表示図１−４を付した図である。【００１７】図２は、同図において、蛍光灯など乱反射を構造的に持つ照明器具図２−３から発せられた光が反射板図２−１に反射し光の反射図２−４及び光の反射図２−５が透明版２−２を通過し透明版図２−２に外部から目視可能な位置に貼り付け或いは印刷及び手書きされている広告及び公共表示図２−６を透明版図２−２に付した図である。又広告及び公共表示図２−６付す位置は特に限定しない透明版図２−２の一部及び全面に渡るように付してもよい。【００１８】次に、本発明の第２の実施形態に係わる照明補助器具について説明する、本実施形態では、広告及び公共表示図２−６を蛍光灯など乱反射を構造的に持つ照明器具に直接貼付たり印刷せず、照明補助器具の透明版に貼付及び印刷されているために広告及び公共表示が熱で劣化したり、シール材が変色したり、塗料の材質が脆くなることが防げ長時間安定した状態を維持できる、ただし透明版の素材にあった材料を使用するとよい。【００１９】次に、本発明の第３の実施形態に係わる照明補助器具について説明する、本実施形態では、広告及び公共表示図２−６を光が透過する材質で制作する。これにより、広告及び公共表示図２−６を光が透過するので広告及び公共表示図２−６が浮き立ち視覚的に閲覧者に広告及び公共表示効果の高いものが提供できる。【００２０】次に、本発明の第４の実施形態に係わる照明補助器具について説明する、本実施形態では、広告及び公共表示図２−６に有機系、非有機系の蓄光塗料等の特殊発光塗料を使用し制作する。見た目の美しい広告及び表示だけではなく依り高い訴求力を強化し更に照明補助器具としての本来の目的である蛍光灯など乱反射を構造的に持つ照明器具の照度アップを図り、電源を切った後も有機系、非有機系の蓄光塗料等の特性を活かし視覚的に長時間閲覧者に広告及び公共表示効果の高いものを提供できる。【００２１】次に、本発明の第５の実施形態に係わる照明補助器具について説明する、本実施形態では、同図において、反射板図１−１と透明版図１−２を筒状に縫い合わせ間に蛍光灯など乱反射を構造的に持つ照明器具を挿入し、照度アップと節電を図る照明補助器具であるために蛍光灯など乱反射を構造的に持つ照明器具に固定されて居らず、図３のように反射した光に角度を与えより視覚的に閲覧者に広告及び公共表示効果の高いものが提供できる。【００２２】尚、上述した図１等の照明補助器具を広告及び公共表示媒体として広告及び表示依頼者に対して提供することにより広告及び公共表示のどちらかの活用又は両方を同時に取り付け（貼付、印刷、手書き発光塗料等の特殊塗料）広告だけではなく公共性も兼ねるも良い、これらの設定項目はこれによる宣伝効果等を考慮し広告以来者の所望に設定を指定するようにし其れにあわせて料金設定すると良い。
【発明の効果】
【００２３】以上説明したように、本発明の照明補助器具によれば、発光部である蛍光灯など乱反射を構造的に持つ照明器具に取り付け照度アップと節電を図る照明補助器具に、外部から目視可能な位置に広告及び公共表示を付着する、このように日常至るところで利用されている蛍光灯など乱反射を構造的に持つ照明器具等の照明器具を情報伝達力の高い広告及び公共表示媒体を提供することができる。又消耗品である照明補助器具に広告及び公共表示を付すだけでよいので、新に複雑な器具を必要とせず、極めて容易に実現することができるという効果がある。
【００２４】又、本発明の照明補助器具によれば、発光部である蛍光灯など乱反射を構造的に持つ照明器具に取り付け照度アップと節電を図る照明補助器具に広告及び公共表示を付着するので、熱による広告の材質を劣化、シール材の変色、透光性の低下、各種塗料の劣化を回避でき、長期間に渡って安定した品質をたもち、高品質な広告及び公共表示を提供するという効果を得られる。
【００２５】又、本発明の照明補助器具によれば、発光部である蛍光灯など乱反射を構造的に持つ照明器具に取り付け照度アップと節電を図る照明補助器具に広告及び公共表示を付着する為に広告及び公共表示面は目視可能な角度をつけることが出来、より宣伝及び表示効果を高めることが可能になる。
【００２６】又、本発明の照明補助器具によれば、発光部である蛍光灯など乱反射を構造的に持つ照明器具に取り付け照度アップと節電を図る照明補助器具に広告及び公共表示を付着するので、設置されているスペースを明るく照らすという本来の用途を損ねる事もなく更に広告及び公共表示面の面積も広くえられることに依り表示版としての機能を十分果たすことが可能である又発光塗料等の利用に依り電源を切った後も長時間表示内容の認識が可能になり、さらに光が透過する事により、広告が浮き立ち視覚的に広告及び公共表示効果の高いものを提供することができる。
【００２７】又、本発明の照明補助器具によれば、発光部である蛍光灯など乱反射を構造的に持つ照明器具に取り付け照度アップと節電を図る照明補助器具に広告及び公共表示を付着するので、照明器具の製造後、すなわち照明補助器具が商品化された後に広告及び公共表示を付することが可能となる、これにより製造後に受け付けた広告及び公共表示内容を表示することが出来るので、広告及び公共表示媒体である照明補助器具を効率よく使用することが出来るという効果を得られる。またシール材などにより広告及び公共表示が照明補助器具に貼付されている状態である為に広告及び公共表示期間を別途に設けその掲載期間に応じて広告及び公共表示を交換することが可能となる、又何らかの原因で広告及び公共表示が劣化してしまった場合においても、新しい広告と取り替えが可能であり、長期間に渡って高品質な広告を提供することが出来るという効果を得られる。
【００２８】又、本発明の照明補助器具によれば、発光部である蛍光灯など乱反射を構造的に持つ照明器具に取り付け照度アップと節電を図る照明補助器具に広告及び公共表示を付着するので、広告及び公共表示は当照明補助器具製造工程において印刷するので効率よく又経費等の節約に貢献できる。
【００２９】また、上記照明補助器具において前記広告及び公共表示の占有面積は広告及び公共表示依頼主から広告料を受け取ることにより、消耗品である照明補助器具を其の分安く消費者にたいして提供することが可能となる。これにより消費者に対して消耗品である照明補助器具を安価で提供することが出来、更なる需要が期待することが出来る。
【図面の簡単な説明】
【００３０】
【図１】本発明の第一の実施形態による照明補助器具の概観図
【図２】本発明の第一の実施形態による照明補助器具の断面図
【図３】本発明の第一の実施形態による照明補助器具の反射光の調整図
【００３１】
【符号の説明】
１−１…反射板      １−２…蛍光灯      １−３…透明版
１−４…広告面
２−１…反射板      ２−２…透明版      ２−３…蛍光灯
２−４…光の反射図  ２−５…光の反射図  ２−６…広告面
３−１…反射板      ３−２…透明版      ３−３…光の範囲
３−４…広告面の向いている方向    ３−５…蛍光灯
【図１】
2005258374.tif 000003
【図２】
2005258374.tif 000004
【図３】
2005258374.tif 000005